(57)【要約】【課題】  画像が動くように見える視覚効果が得られるレンチキュラープリントシートを適切に作成すべく、プリントシートとレンチキュラーレンズとを正確に位置決めできるようにする。【解決手段】  レンチキュラーレンズの平面部と反対側に形成された複数の凸状レンズの形状に対応し該凸状レンズを嵌合可能な溝が形成されたボード本体と、これに回動自在に閉成方向へ付勢支持されて開閉自在な鰐口状挟持部を形成するロックレバーと、プリントシートがボード本体上に載置された際、プリントシートに画像と関連付けて予め形成された位置決め用の印刷を確認してプリントシートとレンチキュラーレンズとの相対位置を調整するための位置確認用開口部と、を備えた位置決め用治具を用いて位置決めを行うようにしてレンチキュラープリントシートを作成する。【選択図】        図１
2012155255.tif 000002
【特許請求の範囲】
【請求項１】
プリントシートの画像印刷領域にレンチキュラーレンズの平面部を貼り付けて前記レンチキュラーレンズを通して画像が動いているように見えるレンチキュラープリントシートを作成すべく、前記プリントシートと前記レンチキュラーレンズとを位置決めするための位置決め治具であって、
前記レンチキュラーレンズの前記平面部と反対側に形成された複数の凸状レンズの形状に対応し該凸状レンズを嵌合可能な溝が形成されたボード本体と、
該ボード本体に回動自在に支持され自由端部と前記ボード本体とで開閉自在な鰐口状挟持部を形成し前記ボード本体上に載置された前記プリントシートを保持するロックレバーと、
該ロックレバーを閉成方向へ付勢する付勢部材と、
前記プリントシートが前記ボード本体上に載置された際、前記プリントシートに画像と関連付けて予め形成された位置決め用の印刷を確認して前記プリントシートと前記レンチキュラーレンズとの相対位置を調整するための前記ボード本体の側部に形成された位置確認用開口部と、
を備えたことを特徴とする位置決め用治具。
【請求項２】
プリントシートの画像印刷領域にレンチキュラーレンズの平面部を貼り付けて前記レンチキュラーレンズを通して画像が動いているように見えるレンチキュラープリントシートを作成すべく、前記プリントシートと前記レンチキュラーレンズとの位置決めを行う位置決め方法であって、
前記レンチキュラーレンズの前記平面部と反対側に形成された複数の凸状レンズの形状に対応し該凸状レンズを嵌合可能な溝が形成されたボード本体と、該ボード本体に回動自在に支持され自由端部と前記ボード本体とで開閉自在な鰐口状挟持部を形成し前記ボード本体上に載置された前記プリントシートを保持するロックレバーと、該ロックレバーを閉成方向へ付勢する付勢部材と、前記プリントシートが前記ボード本体上に載置された際、前記プリントシートに画像と関連付けて予め形成された位置決め用の印刷を確認して前記プリントシートと前記レンチキュラーレンズとの相対位置を調整するための前記ボード本体の側部に形成された位置確認用開口部と、を備えた位置決め用治具を準備し、
該位置決め用治具の前記ボード本体上に前記プリントシートを載置し、該プリントシートに画像と関連付けて予め形成された位置決め用の印刷を前記位置確認用開口部を介して確認して、前記プリントシートと前記レンチキュラーレンズとの相対位置を調整する、
ことを特徴とする位置決め方法。
【請求項３】
プリントシートの画像印刷領域にレンチキュラーレンズの平面部を貼り付けて前記レンチキュラーレンズを通して画像が動いているように見えるレンチキュラープリントシートを作成する方法であって、
前記プリントシートに画像と関連付けて予め位置決め用の印刷を形成する一方、
前記レンチキュラーレンズの前記平面部と反対側に形成された複数の凸状レンズの形状に対応し該凸状レンズを嵌合可能な溝が形成されたボード本体と、該ボード本体に回動自在に支持され自由端部と前記ボード本体とで開閉自在な鰐口状挟持部を形成し前記ボード本体上に載置された前記プリントシートを保持するロックレバーと、該ロックレバーを閉成方向へ付勢する付勢部材と、前記プリントシートが前記ボード本体上に載置された際、前記プリントシートに画像と関連付けて予め形成された位置決め用の印刷を確認して前記プリントシートと前記レンチキュラーレンズとの相対位置を調整するための前記ボード本体の側部に形成された位置確認用開口部と、を備えた位置決め用治具を準備する工程と、
該位置決め用治具の前記ボード本体上に前記プリントシートを載置し、前記プリントシートの位置決め用の印刷を前記位置確認用開口部を介して確認して、前記プリントシートと前記レンチキュラーレンズとの相対位置を調整する工程と、
前記ロックレバーを前記付勢部材の付勢力に抗して開成した状態の前記鰐口状挟持部に、前記レンチキュラーレンズとの相対位置を調整された前記プリントシートをセットした後、前記ロックレバーを閉成して前記プリントシートを保持する工程と、
該保持工程により保持された状態の前記プリントシートと前記レンチキュラーレンズとを所定サイズにカットする工程と
を具備することを特徴とするレンチキュラープリントシートの作成方法。
【発明の詳細な説明】
【技術分野】
【０００１】
本発明は、レンチキュラーレンズを通して画像が動いているように見える視覚効果を有するレンチキュラープリントシートに係わり、より詳細には、プリントシートとレンチキュラーレンズとの位置決め治具、位置決め方法およびレンチキュラープリントシートの作成方法に関する。
【背景技術】
【０００２】
近年、デジタルカメラの普及に伴って、デジタル写真のＷｅｂサービスも広がりを見せており、一般的なプリント写真を初めとして、様々なプリント写真の提供がなされている。
そのなかで、最近は、プリント写真上にレンチキュラーレンズを貼り合わせることにより、その画像があたかも動いているように見える視覚効果を持たせたものも提供されるようになってきており、その多様化は著しいものである（例えば、特許文献１，２参照）。
【０００３】
ここで、レンチキュラー（lenticular；以下レンチキュラープリントシートと称す）とは、シート状のレンチキュラーレンズを用いて、見る角度によって絵柄が変化したり、立体感が得られたりする印刷物のことであって、数ｃｍ角の小型のものから、建物の壁面に取り付けられている広告板などの大型のものまである。
【０００４】
レンチキュラーの構造は、レンチキュラー画像と呼ばれる画像の上に、表面に微細な細長いカマボコ状の凸レンズが無数に並んだシート（レンチキュラーレンズ）が配置されている。このレンチキュラーレンズは透明なプラスチック製のものが使われている。このレンチキュラーレンズを、画像を印刷した印刷物の上に貼り合わせて作られる。レンチキュラー画像は、２つ以上の画像を細長く短冊状に切り、切った画像をインターレース状に順番に並べて１枚の画像にする。そして、画像の１つの細片ごとに１つの凸レンズが載るように貼り合わせる必要がある。この貼り合わせ時に、位置がずれてしまうときれいに見ることができない。
【０００５】
上述したようなレンチキュラーにより、以下の３種類の効果を得ることができる。
１、見る角度によって絵柄が変わるもの。この場合には、全く異なる複数の画像を組み合わせて使う。
２、アニメーション効果のあるもの。この場合には、少しずつ異なる画像を多数枚組み合わせる。目を動かしていくと動画を見ることができる。
３、３Ｄ効果のあるもの。この場合には、左目用と右目用の、視差が生じる２枚の画像を組み合わせる（ステレオペア）。上の２つとは違い目を動かしてみるのではなく１点から見るだけで立体感を得られる。
【０００６】
なお、画像（複数枚必要）からレンチキュラーを作成するサービスが各社から提供されているほか、レンチキュラーを作成するキットが発売されているので、パソコンを用いて自分で作成することもできる。
【先行技術文献】
【特許文献】
【０００７】
【特許文献１】特開昭６１−２８１２１５号公報
【特許文献２】特開昭６１−２４９７８７号公報
【発明の概要】
【発明が解決しようとする課題】
【０００８】
上述したようなレンチキュラープリントシートを作成する際のレンチキュラーレンズと画像の位置合わせ即ち位置決めは、従来、レンズの端面及び用紙の端面を目安に行い、実際の絵柄の変化を確認しながらレンチキュラープリントシートを作成するのが通常であった。
【０００９】
そのため、作成には熟練技が必要であった。また、レンズの向きに対してレンズの端面が斜めに加工されていた場合や印刷が斜めになった場合には、レンチキュラーレンズのレンズ方向と印刷の画像方向が斜めになり、製品品質上満足のゆくものが出来ず生産性が低下するという問題点があった。
【００１０】
特に、ネット或いは店頭などで一般ユーザーから注文されたオリジナルのレンチキュラーを用いたアニメーション等の商品を提供する場合においては、やり直しは利かず、品質の低い製品の提供は許されない。
【００１１】
本発明はこのような事情に鑑みてなされたものであり、画像が動くように見える視覚効果が得られるレンチキュラープリントシートを簡単かつ適切に作成すべく、プリントシートとレンチキュラーレンズとを正確に位置決めできるようにすることを目的とする。
【課題を解決するための手段】
【００１２】
このような目的に応えるために本発明（請求項１記載の発明）に係る位置決め治具は、プリントシートの画像印刷領域にレンチキュラーレンズの平面部を貼り付けて前記レンチキュラーレンズを通して画像が動いているように見えるレンチキュラープリントシートを作成すべく、前記プリントシートと前記レンチキュラーレンズとを位置決めするための位置決め治具であって、前記レンチキュラーレンズの前記平面部と反対側に形成された複数の凸状レンズの形状に対応し該凸状レンズを嵌合可能な溝が形成されたボード本体と、該ボード本体に回動自在に支持され自由端部と前記ボード本体とで開閉自在な鰐口状挟持部を形成し前記ボード本体上に載置された前記プリントシートを保持するロックレバーと、該ロックレバーを閉成方向へ付勢する付勢部材と、前記プリントシートが前記ボード本体上に載置された際、前記プリントシートに画像と関連付けて予め形成された位置決め用の印刷を確認して前記プリントシートと前記レンチキュラーレンズとの相対位置を調整するための前記ボード本体の側部に形成された位置確認用開口部と、を備えたことを特徴とする。
【００１３】
本発明（請求項２記載の発明）に係る位置決め方法は、プリントシートの画像印刷領域にレンチキュラーレンズの平面部を貼り付けて前記レンチキュラーレンズを通して画像が動いているように見えるレンチキュラープリントシートを作成すべく、前記プリントシートと前記レンチキュラーレンズとの位置決めを行う位置決め方法であって、前記レンチキュラーレンズの前記平面部と反対側に形成された複数の凸状レンズの形状に対応し該凸状レンズを嵌合可能な溝が形成されたボード本体と、該ボード本体に回動自在に支持され自由端部と前記ボード本体とで開閉自在な鰐口状挟持部を形成し前記ボード本体上に載置された前記プリントシートを保持するロックレバーと、該ロックレバーを閉成方向へ付勢する付勢部材と、前記プリントシートが前記ボード本体上に載置された際、前記プリントシートに画像と関連付けて予め形成された位置決め用の印刷を確認して前記プリントシートと前記レンチキュラーレンズとの相対位置を調整するための前記ボード本体の側部に形成された位置確認用開口部と、を備えた位置決め用治具を準備し、該位置決め用治具の前記ボード本体上に前記プリントシートを載置し、該プリントシートに画像と関連付けて予め形成された位置決め用の印刷を前記位置確認用開口部を介して確認して、前記プリントシートと前記レンチキュラーレンズとの相対位置を調整する、ことを特徴とする。
【００１４】
本発明（請求項３記載の発明）に係るレンチキュラープリントシートの作成方法は、プリントシートの画像印刷領域にレンチキュラーレンズの平面部を貼り付けて前記レンチキュラーレンズを通して画像が動いているように見えるレンチキュラープリントシートを作成する方法であって、前記プリントシートに画像と関連付けて予め位置決め用の印刷を形成する一方、前記レンチキュラーレンズの前記平面部と反対側に形成された複数の凸状レンズの形状に対応し該凸状レンズを嵌合可能な溝が形成されたボード本体と、該ボード本体に回動自在に支持され自由端部と前記ボード本体とで開閉自在な鰐口状挟持部を形成し前記ボード本体上に載置された前記プリントシートを保持するロックレバーと、該ロックレバーを閉成方向へ付勢する付勢部材と、前記プリントシートが前記ボード本体上に載置された際、前記プリントシートに画像と関連付けて予め形成された位置決め用の印刷を確認して前記プリントシートと前記レンチキュラーレンズとの相対位置を調整するための前記ボード本体の側部に形成された位置確認用開口部と、を備えた位置決め用治具を準備する工程と、該位置決め用治具の前記ボード本体上に前記プリントシートを載置し、前記プリントシートの位置決め用の印刷を前記位置確認用開口部を介して確認して、前記プリントシートと前記レンチキュラーレンズとの相対位置を調整する工程と、前記ロックレバーを前記付勢部材の付勢力に抗して開成した状態の前記鰐口状挟持部に、前記レンチキュラーレンズとの相対位置を調整された前記プリントシートをセットした後、前記ロックレバーを閉成して前記プリントシートを保持する工程と、該保持工程により保持された状態の前記プリントシートと前記レンチキュラーレンズとを所定サイズにカットする工程とを具備することを特徴とする。
【発明の効果】
【００１５】
以上説明したように、本発明に係るプリントシートとレンチキュラーレンズとの位置決め治具、位置決め方法およびレンチキュラープリントシートの作成方法によれば、レンチキュラーレンズの平面部と反対側に形成された複数の凸状レンズの形状に対応し該凸状レンズを嵌合可能な溝が形成されたボード本体と、これに回動自在に閉成方向へ付勢支持されて開閉自在な鰐口状挟持部を形成するロックレバーと、プリントシートがボード本体上に載置された際、プリントシートに画像と関連付けて予め形成された位置決め用の印刷を確認してプリントシートとレンチキュラーレンズとの相対位置を調整するための位置確認用開口部と、を備えた位置決め用治具を用いて位置決めを行うようにしてレンチキュラープリントシートを作成するので、簡単な構成であるにもかかわらず、画像が動くように見える視覚効果が得られる、いわゆるアニメーション製品であるレンチキュラープリント製品を、熟練技能者を要することなくユーザーに確実に満足のゆく状態で提供することができる。
【図面の簡単な説明】
【００１６】
【図１】（ａ）は、本発明に係る位置決め用治具としての位置決めボードの一実施形態を示す構成図、（ｂ）は位置決めボードのボード本体のみを示す構成図、（ｃ）はボード本体に取り付けられるロックレバーのみを示す構成図である。
【図２】（ａ）は、図１（ａ）の位置決めボードの側面図、（ｂ）は、ロックレバーを操作して開成状態にして示す位置決めボードの側面図である。
【図３】本発明の一実施形態としての位置決め方法の手順（その１）を示す構成図であり、（ａ）は、位置決めに用いる図１（ａ）の位置決めボードを再掲して示す構成図、（ｂ）は、印刷画像及びこの画像に関連付けて予め位置決め用の印刷が施されたプリントシートを示す構成図、（ｃ）はレンチキュラーレンズを示す構成図、（ｄ）はレンチキュラーレンズの平面部を上にして位置決めボードの溝にレンチキュラーレンズの凸状レンズ側を嵌合させた状態を示す構成図、（ｅ）はレンチキュラーレンズと位置決めボードの溝との関係を示す要部断面図、（ｆ）はレンチキュラーレンズの平面部上に載置したプリントシートとの関係を示す要部断面図である。
【図４】本発明の一実施形態としての位置決め方法の手順（その２）を示す構成図であり、（ａ）は、図３（ｂ）のプリントシートを再掲して示す図、（ｂ）は、図３（ｄ）のレンチキュラーレンズがセットされたその上にプリントシートを載置しロックレバーで保持した位置決めボードを裏側から見た構成図、（ｃ）は図４（ｂ）の側面図、（ｄ）及び（ｅ）は、図４（ａ）にそれぞれ丸枠で示す位置決め部Ａ，Ｂと位置決めボードの位置確認用開口部２ｂとの関係を示す要部拡大図である。
【図５】（ａ）は、本発明に係るレンチキュラープリントシートの構成図、（ｂ）は本発明のレンチキュラープリントシートの作成方法により作成されたレンチキュラープリント製品を示す構成図である。
【発明を実施するための形態】
【００１７】
図１および図２は本発明に係る位置決め用治具の一実施形態である位置決めボード１を示す。
これらの図において、位置決めボード１は、ボード本体２と、ロックレバー４と、バネ６等から成り、ボード本体２の略２／３の面積を占める板状平面には後述するレンチキュラーレンズ９の複数の凸状レンズ９ａを嵌合可能な溝２ａと、この溝２ａの一方の側端部に段部２ｃと、他方の側端部には後述する位置確認用開口部２ｂ，２ｂが形成されている。なお、溝２ａは、レンチキュラーレンズ９の複数の凸状レンズ９ａと同ピッチで、溝の深さは凸状レンズ９ａの凸部高さよりも深く設定されている。
【００１８】
また、図１（ｂ）に示すように、ボード本体２の残る略１／３の領域は、把持部２ｄとロックレバー係合部２ｅとから成り、ロックレバー係合部２ｅには軸穴２ｆが形成されている。また、ロックレバー係合部２ｅ近傍にゴム板３が固着されている。
ロックレバー４は、図１（ｃ）に裏返して示すように、中央が空けられた四角の枠形状とされ、操作部４ｂと、グリップ部４ｃと、その間に軸支部４ａを備え、軸支部４ａには軸穴４ｄ，４ｄが形成されている。また、グリップ部４ｃにグリップ板５が固着されている。
【００１９】
このロックレバー４の軸穴４ｄ，４ｄの間に不図示のバネ６を介入させた状態で軸支部４ａを図１（ｂ）のロックレバー係合部２ｅに対して、ひっくり返して装着し、図１（ａ）に示すように、不図示の軸７を軸穴２ｆ、軸穴４ｄに挿入し、バネ６をボード本体２に係合させると共に軸７の端部をＥリング８で止着して位置決めボード１が組みあがる。
【００２０】
このようにして組みあがった位置決めボード１は、図２（ａ）の矢印ａに示すように、ロックレバー４が通常はバネ６により閉成方向へ付勢されているが、ボード本体２の把持部２ｄとロックレバー４の操作部４ｂとを掴んでバネ６の付勢力に抗して図２（ｂ）の矢印ｂに示すように開成させることができる。すなわち、ボード本体２のゴム板３が固着されている部分とロックレバー４のグリップ板５が固着されたグリップ部４ｃとで開閉自在な鰐口状挟持部Ｚを形成している。そして、後述するようにこの鰐口状挟持部Ｚにて位置決めされたプリントシート１０を固定保持するように構成されている。
【００２１】
以上の構成において、本発明のプリントシートとレンチキュラーレンズとを正確に位置決めしてレンチキュラープリント製品を生産する方法は、図３〜５を参照して、以下のようにして行う。
【００２２】
図３（ａ）は、位置決めに用いる図１（ａ）の位置決めボード１を再掲して示す構成図であり、図３（ｂ）は、印刷画像及びこの画像に関連付けて予め位置決め用の印刷が施されたプリントシート１０を示す構成図である。また、図３（ｃ）はレンチキュラーレンズ９を示す構成図である。
【００２３】
図３（ｂ）に示すように、本発明に係るプリントシート１０には、レンチキュラー画像と呼ばれる印刷画像１０ｂと、位置決め用の印刷１０ａが施される。ここで、印刷画像１０ｂと位置決め用の印刷１０ａとの位置関係は、同時印刷することで常に一定寸法が保障される。
【００２４】
このようなプリントシート１０に対して、図３（ｃ）に示すレンチキュラーレンズ９を正確に位置決めして張り合わせるために、位置決めボード１が用意されるのであるが、本発明の位置決めボード１には、レンチキュラーレンズ９の凸状レンズ９ａを嵌合可能な溝２ａが形成されていることは前述した。
【００２５】
そこで、まず図３（ｃ）に示すレンチキュラーレンズ９を裏返しにして図３（ａ）の溝２ａに被せる。その状態を示すのが図３（ｄ）である。なお、図３（ｅ）はレンチキュラーレンズ９と位置決めボード２の溝２ａとの関係を示す要部断面図である。
【００２６】
次に、図３（ｆ）に示すように、このレンチキュラーレンズ９がセットされた位置決めボード１上に図３（ｂ）に示すプリントシート１０を裏返しにして載置する。その際、図２（ｂ）に示したように、ボード本体２の把持部２ｄとロックレバー４の操作部４ｂとを掴んで鰐口状挟持部Ｚを開き、ここにプリントシート１０の前端部を挟み込むようして縦横方向の位置あわせの見当をしつつセットした後、図２（ａ）に示したようにバネ６の付勢力に基づきロックレバー４を閉成させて仮の位置決めを行う。
【００２７】
この場合、ロックレバー係合部２ｅ近傍のゴム板３とグリップ部４ｃのグリップ板５とは共に高摩擦抵抗のゴム材からなり互いに対向する位置に設けられているから、プリントシート１０をしっかり保持することが出来る。
【００２８】
次に、プリントシート１０が保持された位置決めボード１を裏返しして、図４（ｄ）、（ｅ）に拡大して示すように、プリントシート１０の位置決め用の印刷１０ａを位置確認用開口部２ｂを介して確認する。そして、再びロックレバー４を操作して鰐口状挟持部Ｚを開きながら、プリントシート１０とボード本体２延いてはレンチキュラーレンズ９との正しい位置を調整し、位置決めが決定したらロックレバー４を閉成させ位置決め作業を完了させる。
【００２９】
その後、レンチキュラーレンズ９よりもはみ出したプリントシート１０の周囲部分をカッタ等で切り取って図５（ｂ）に示すようなレンチキュラープリント製品１２を得ることができる。得られたレンチキュラープリント製品１２は袋詰めして注文者へ発送される。
【００３０】
なお、本発明は上述した実施の形態で説明した構造には限定されず、位置決めボード１やレンチキュラープリントシート１１等を構成する各部の形状、構造等を適宜変形、変更し得ることはいうまでもない。
【００３１】
本発明のいくつかの実施形態を説明したが、本発明の範囲は、上述の実施の形態に限定
するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通り
である。
［付記］
＜請求項１＞
プリントシートの画像印刷領域にレンチキュラーレンズの平面部を貼り付けて前記レンチキュラーレンズを通して画像が動いているように見えるレンチキュラープリントシートを作成すべく、前記プリントシートと前記レンチキュラーレンズとを位置決めするための位置決め治具であって、
前記レンチキュラーレンズの前記平面部と反対側に形成された複数の凸状レンズの形状に対応し該凸状レンズを嵌合可能な溝が形成されたボード本体と、
該ボード本体に回動自在に支持され自由端部と前記ボード本体とで開閉自在な鰐口状挟持部を形成し前記ボード本体上に載置された前記プリントシートを保持するロックレバーと、
該ロックレバーを閉成方向へ付勢する付勢部材と、
前記プリントシートが前記ボード本体上に載置された際、前記プリントシートに画像と関連付けて予め形成された位置決め用の印刷を確認して前記プリントシートと前記レンチキュラーレンズとの相対位置を調整するための前記ボード本体の側部に形成された位置確認用開口部と、
を備えたことを特徴とする位置決め用治具。
＜請求項２＞
プリントシートの画像印刷領域にレンチキュラーレンズの平面部を貼り付けて前記レンチキュラーレンズを通して画像が動いているように見えるレンチキュラープリントシートを作成すべく、前記プリントシートと前記レンチキュラーレンズとの位置決めを行う位置決め方法であって、
前記レンチキュラーレンズの前記平面部と反対側に形成された複数の凸状レンズの形状に対応し該凸状レンズを嵌合可能な溝が形成されたボード本体と、該ボード本体に回動自在に支持され自由端部と前記ボード本体とで開閉自在な鰐口状挟持部を形成し前記ボード本体上に載置された前記プリントシートを保持するロックレバーと、該ロックレバーを閉成方向へ付勢する付勢部材と、前記プリントシートが前記ボード本体上に載置された際、前記プリントシートに画像と関連付けて予め形成された位置決め用の印刷を確認して前記プリントシートと前記レンチキュラーレンズとの相対位置を調整するための前記ボード本体の側部に形成された位置確認用開口部と、を備えた位置決め用治具を準備し、
該位置決め用治具の前記ボード本体上に前記プリントシートを載置し、該プリントシートに画像と関連付けて予め形成された位置決め用の印刷を前記位置確認用開口部を介して確認して、前記プリントシートと前記レンチキュラーレンズとの相対位置を調整する、
ことを特徴とする位置決め方法。
＜請求項３＞
プリントシートの画像印刷領域にレンチキュラーレンズの平面部を貼り付けて前記レンチキュラーレンズを通して画像が動いているように見えるレンチキュラープリントシートを作成する方法であって、
前記プリントシートに画像と関連付けて予め位置決め用の印刷を形成する一方、
前記レンチキュラーレンズの前記平面部と反対側に形成された複数の凸状レンズの形状に対応し該凸状レンズを嵌合可能な溝が形成されたボード本体と、該ボード本体に回動自在に支持され自由端部と前記ボード本体とで開閉自在な鰐口状挟持部を形成し前記ボード本体上に載置された前記プリントシートを保持するロックレバーと、該ロックレバーを閉成方向へ付勢する付勢部材と、前記プリントシートが前記ボード本体上に載置された際、前記プリントシートに画像と関連付けて予め形成された位置決め用の印刷を確認して前記プリントシートと前記レンチキュラーレンズとの相対位置を調整するための前記ボード本体の側部に形成された位置確認用開口部と、を備えた位置決め用治具を準備する工程と、
該位置決め用治具の前記ボード本体上に前記プリントシートを載置し、前記プリントシートの位置決め用の印刷を前記位置確認用開口部を介して確認して、前記プリントシートと前記レンチキュラーレンズとの相対位置を調整する工程と、
前記ロックレバーを前記付勢部材の付勢力に抗して開成した状態の前記鰐口状挟持部に、前記レンチキュラーレンズとの相対位置を調整された前記プリントシートをセットした後、前記ロックレバーを閉成して前記プリントシートを保持する工程と、
該保持工程により保持された状態の前記プリントシートと前記レンチキュラーレンズとを所定サイズにカットする工程と
を具備することを特徴とするレンチキュラープリントシートの作成方法。
【符号の説明】
【００３２】
１      位置決めボード
２      ボード本体
２ａ    溝
２ｂ    位置確認用開口部
２ｃ    段部
２ｄ    把持部
２ｅ    ロックレバー係合部
２ｆ    軸穴
３      ゴム板
４      ロックレバー
４ａ    軸支部
４ｂ    操作部
４ｃ    グリップ部
４ｄ    軸穴
５      グリップ板
６      バネ
７      軸
８      Ｅリング
９      レンチキュラーレンズ
９ａ    凸状レンズ
９ｂ    平面部
１０    プリントシート
１０ａ  位置決め用の印刷
１０ｂ  印刷画像
１１    レンチキュラープリントシート
１２    レンチキュラープリント製品
Ａ，Ｂ  位置決め部
Ｚ      鰐口状挟持部
【図１】
2012155255.tif 000003
【図２】
2012155255.tif 000004
【図３】
2012155255.tif 000005
【図４】
2012155255.tif 000006
【図５】
2012155255.tif 000007